(57)【要約】【解決手段】本発明は、ゴム製の弾性コアと該コアを被覆する１層以上のカバーとを備えたゴルフボールにおいて、ＵＳＧＡのドラム回転式の初速度計と同方式の初速測定器を用いて測定したゴルフルールに規定された方法でのボールの初速度（ｍ／ｓ）をＶ、ボールに対して初期荷重９８Ｎ（１０ｋｇｆ）を負荷した状態から終荷重１２７５Ｎ（１３０ｋｇｆ）を負荷したときまでのたわみ量（ｍｍ）をＥと定義したとき、Ｖ／Ｅの値が１９以下であることとするゴルフボールを提供する。【効果】本発明のゴルフボールは、打感及びアイアン打撃時の飛び性能に優れたものである。【選択図】なし【特許請求の範囲】
【請求項１】
ゴム製の弾性コアと該コアを被覆する１層以上のカバーとを備えたゴルフボールにおいて、ＵＳＧＡのドラム回転式の初速度計と同方式の初速測定器を用いて測定したゴルフルールに規定された方法でのボールの初速度（ｍ／ｓ）をＶ、ボールに対して初期荷重９８Ｎ（１０ｋｇｆ）を負荷した状態から終荷重１２７５Ｎ（１３０ｋｇｆ）を負荷したときまでのたわみ量（ｍｍ）をＥと定義したとき、Ｖ／Ｅの値が１９以下であることを特徴とするゴルフボール。
【請求項２】
上記Ｖ／Ｅの値が１８．８以下である請求項１記載のゴルフボール。
【請求項３】
ボールのたわみ量Ｅが２．８ｍｍ以上である請求項１又は２記載のゴルフボール。
【請求項４】
ボールの初速度Ｖが６５ｍ／ｓ以上７７ｍ／ｓ以下である請求項１〜３のいずれか１項記載のゴルフボール。
【請求項５】
カバーのショアＤ硬度が３０以上６０以下である請求項１〜４のいずれか１項記載のゴルフボール。
【請求項６】
コアに対して初期荷重９８Ｎ（１０ｋｇｆ）を負荷した状態から終荷重１２７５Ｎ（１３０ｋｇｆ）を負荷したときまでのたわみ量（ｍｍ）をＳと定義したとき、−０．２≦Ｓ−Ｅ≦０．５である請求項１〜５のいずれか１項記載のゴルフボール。
【請求項７】
ボールに対して初期荷重１．９６Ｎ（０．２ｋｇｆ）を負荷した状態から終荷重４９Ｎ（５．０ｋｇｆ）を負荷したときまでのたわみ量（ｍｍ）が、０．２７以上０．６以下である請求項１〜６のいずれか１項記載のゴルフボール。
【請求項８】
ボールの外径，重量及び初速度は、出願時のＲ＆Ａのゴルフ規則に適合したものである請求項１〜７のいずれか１項記載のゴルフボール。
【発明の詳細な説明】
【技術分野】
【０００１】
本発明は、現在使用されている公認球よりも飛距離を抑制したゴルフボールに関するものである。
【背景技術】
【０００２】
ゴルフ規則としては主にＲ＆Ａ（Royal and Ancient Golf Club of St. Andrews）とＵＳＧＡ（United States Golf Association）との２つがあり、これらが数年毎に規則を改正し、ゴルフ競技の適正を図っている。これらのゴルフ規則においてゴルフボールの飛距離を抑制するための検討が少しずつ行われている。即ち、近年、著しくボールの飛距離や初速度が大きく向上したのは、ゴルフプレーヤーの技術や体力の向上のほかにスウィングとゴルフ用具とのフィッティングが容易に行えるシステムが普及したことや、ゴルフクラブ及びゴルフボールの性能の向上が考えられる。特に、ゴルフクラブとゴルフボールの使用に際しては飛距離や反発性をある程度制限することにより、ゴルフコースの距離を伸ばすことなく、規定打数（per 72）を今まで通りに据え置く検討が必要であるという意見がゴルフコース側の者から出始めている。
【０００３】
そこで、従来から提案されたゴルフボールの中には、飛び性能を抑制したゴルフボールや短距離用ゴルフボールがいくつかあり、例えば、特開昭６０−１９４９６７号公報には、発泡成型された熱可塑性樹脂重合体及び充填材料を含み、ボールがその半径に沿ってその中心からその表面に増加していく密度勾配を有することを特徴とする短距離用のゴルフボールが提案されている。
【０００４】
しかしながら、このゴルフボールでは高ヘッドスピード（ＨＳ）だけでなく、低いヘッドピード（ＨＳ）でも飛距離が落ちすぎてしまい、プレイヤーにとって競技上不利が多すぎる。
【０００５】
また、米国特許第５２０９４８５号明細書には、反発性が低くて飛距離を落としたゴルフボールが記載されているが、このゴルフボールは硬度が高く、打感が悪いという欠点がある。
【０００６】
更には、米国特許第５２７３２８７号明細書には、外径が１．７０〜１．８０インチ（４３．１８〜４５．７２ｍｍ）、重量１．６２オンス以下、ボール球面に対するディンプル占有面積率が７０％以上である大径のゴルフボールが記載されている。しかしながら、通常よりもボールが大きいのでプレイヤーに違和感を与え、更には打感についての改良はなされていない。
【０００７】
そのほか、米国特許第５９７１８７０号明細書、米国特許第５６９５４１３号明細書には、軟らかいコアを備えたゴルフボールが提案されているが、この発明は良好な飛び性能を付与することを目的とするものであり、本発明の目的及び課題とは異なる。
【０００８】
【特許文献１】特開昭６０−１９４９６７号公報
【特許文献２】米国特許第５２０９４８５号明細書
【特許文献３】米国特許第５２７３２８７号明細書
【特許文献４】米国特許第５９７１８７０号明細書
【特許文献５】米国特許第５６９５４１３号明細書
【発明の開示】
【発明が解決しようとする課題】
【０００９】
本発明は、上記事情に鑑みなされたもので、現在使用されている公認球よりも飛距離を抑制したゴルフボールであっても、比較的軟らかい良好なボール打感を与えると共に、アイアンで打撃した時の飛距離の落ちる程度を可及的に抑制することにより、アマチュアユーザーに及ぼす影響を少なくしたゴルフボールを提供することを目的とする。
【課題を解決するための手段】
【００１０】
本発明者は、上記目的を達成するため鋭意検討を重ねた結果、ボールの初速度とたわみ量との関係を適正化すること、具体的手段として、ＵＳＧＡのドラム回転式の初速度計と同方式の初速測定器を用いて測定したゴルフルールに規定された方法でのボールの初速度（ｍ／ｓ）をＶ、ボールに対して初期荷重９８Ｎ（１０ｋｇｆ）を負荷した状態から終荷重１２７５Ｎ（１３０ｋｇｆ）を負荷したときまでのたわみ量（ｍｍ）をＥと定義したとき、Ｖ／Ｅの値が１９以下となるようにゴム製の弾性コアと該コアを被覆する１層以上のカバーとを具備したゴルフボールを構成することにより、Ｗ＃１で打撃する飛距離を抑制する際に、それに応じて低下するアイアンショット時の飛距離について意外に飛距離が落ちないことを見出し、更には、上記の初速度（ｍ／ｓ）をボールのたわみ量で除した数値の範囲において良好な打感が得られることを見出し、本発明をなすに至ったものである。
【００１１】
従って、本発明は、下記のゴルフボールを提供する。
〔１〕ゴム製の弾性コアと該コアを被覆する１層以上のカバーとを備えたゴルフボールにおいて、ＵＳＧＡのドラム回転式の初速度計と同方式の初速測定器を用いて測定したゴルフルールに規定された方法でのボールの初速度（ｍ／ｓ）をＶ、ボールに対して初期荷重９８Ｎ（１０ｋｇｆ）を負荷した状態から終荷重１２７５Ｎ（１３０ｋｇｆ）を負荷したときまでのたわみ量（ｍｍ）をＥと定義したとき、Ｖ／Ｅの値が１９以下であることを特徴とするゴルフボール。
〔２〕上記Ｖ／Ｅの値が１８．８以下である〔１〕記載のゴルフボール。
〔３〕ボールのたわみ量Ｅが２．８ｍｍ以上である〔１〕又は〔２〕記載のゴルフボール。
〔４〕ボールの初速度Ｖが６５ｍ／ｓ以上７７ｍ／ｓ以下である〔１〕〜〔３〕のいずれか１項記載のゴルフボール。
〔５〕カバーのショアＤ硬度が３０以上６０以下である〔１〕〜〔４〕のいずれか１項記載のゴルフボール。
〔６〕コアに対して初期荷重９８Ｎ（１０ｋｇｆ）を負荷した状態から終荷重１２７５Ｎ（１３０ｋｇｆ）を負荷したときまでのたわみ量（ｍｍ）をＳと定義したとき、−０．２≦Ｓ−Ｅ≦０．５である〔１〕〜〔５〕のいずれか１項記載のゴルフボール。
〔７〕ボールに対して初期荷重１．９６Ｎ（０．２ｋｇｆ）を負荷した状態から終荷重４９Ｎ（５．０ｋｇｆ）を負荷したときまでのたわみ量（ｍｍ）が、０．２７以上０．６以下である〔１〕〜〔６〕のいずれか１項記載のゴルフボール。
〔８〕ボールの外径，重量及び初速度は、出願時のＲ＆Ａのゴルフ規則に適合したものである〔１〕〜〔７〕のいずれか１項記載のゴルフボール。
【発明の効果】
【００１２】
本発明は、現在使用されている公認球よりも飛距離を抑制したものである一方、比較的軟らかい良好なボール打感を与えると共に、アイアンで打撃した時の飛距離の落ちる程度を可及的に抑制することにより、アマチュアユーザーに及ぼす影響を少なくした競技上有利なゴルフボールである。
【発明を実施するための最良の形態】
【００１３】
以下、本発明につき更に詳しく説明する。
【００１４】
本発明のゴルフボールにおいては、ＵＳＧＡのドラム回転式の初速度計と同方式の初速測定器を用いて測定したゴルフルールに規定された方法でのボールの初速度（ｍ／ｓ）をＶ、ボールに対して初期荷重９８Ｎ（１０ｋｇｆ）を負荷した状態から終荷重１２７５Ｎ（１３０ｋｇｆ）を負荷したときまでのたわみ量（ｍｍ）をＥと定義したとき、Ｖ／Ｅの値が１９以下であることを要する。
【００１５】
即ち、ゴルフルールに規定された方法でのボールの初速計に基づく初速度（初速計初速度）が一定の場合、ヘッドスピード５０ｍ／ｓを超える一部の高ヘッドスピードゴルファーが打ったときを除いては、実際にクラブでボールを打ったときに得られる実打初速は低くなり、およそボールのたわみ量が０．１ｍｍ軟らかくなると、ヘッドスピード（ＨＳ）５０ｍ／ｓの実打初速は０．１４ｍ／ｓ下がり、ヘッドスピード（ＨＳ）４５ｍ／ｓの実打初速は０．１０ｍ／ｓ、ヘッドスピード（ＨＳ）４０ｍ／ｓの実打初速は０．０４ｍ／ｓ、それぞれ下がることになる。つまり、ボールのたわみ量を大きくすることは実打初速を下げることにより飛距離を抑制する方向に作用する。また、初速計初速度を下げることも実打初速を下げることとなり、これは飛距離を抑制することとなる。このような事情を総合的に踏まえて、ゴルフルールに規定された方法でのボールの初速計初速度が高く、かつ硬いボールを排除して、比較的軟らかくかつ低い初速計初速度を有するゴルフボールを設計するべく、ゴルフルールに規定された方法でのボールの初速計初速度をボールのたわみ量で除した値を特定値以下の一定の範囲内としたものである。
【００１６】
上記コアのたわみ量、即ち、初期荷重１０ｋｇｆから終荷重１３０ｋｇｆまで負荷したときの圧縮たわみ量が２．８ｍｍ以上、好ましくは３．０ｍｍ以上、特に４．０ｍｍ以上で、６．０ｍｍ以下、好ましくは５．５ｍｍ以下、特に５．０ｍｍ以下の範囲であることが好ましい。上記の値が小さすぎると、打感が硬すぎたり、初速が速くなりすぎて飛距離抑制効果が得られなくなることがある。逆に、上記の値が大きすぎると、打感が軟らかくなりすぎたり、繰り返し打撃時の割れ耐久性が低下したり、反発が低下しすぎてアイアンでも飛距離が落ちすぎることがある。
【００１７】
一方、本発明において、ボールの初速度（ｍ／ｓ）についてはＲ＆Ａの承認する装置であるＵＳＧＡのドラム回転式の初速度計と同方式の初速測定器を用いて測定した測定値である。即ち、ボールを２３±１℃環境下で３時間以上温調した後、室温２３±２℃の部屋でテストしたものであり、２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出したものである。なお、約１５分間でこのサイクルを行なう。
【００１８】
上記ゴルフボールの初速度としては、好ましくは６５ｍ／ｓ以上、より好ましくは７０ｍ／ｓ以上、さらに好ましくは７５ｍ／ｓ以上、上限として、好ましくは７７ｍ／ｓ以下、より好ましくは７６．６ｍ／ｓ以下、さらに好ましくは７６．３ｍ／ｓ以下である。上記の値が大きすぎると、Ｗ＃１打撃時に十分な飛距離抑制ができなくなることがある。また、上記の値が小さすぎると、Ｗ＃１のみならずアイアン打撃時において飛距離が落ちすぎてしまうことがある。
【００１９】
上記の初速度をＶ（ｍ／ｓ），上記のたわみ量（ｍｍ）をＥとしたとき、初速度をたわみ量で除した値Ｖ／Ｅが１９以下であることを要する。Ｖ／Ｅ値として、特に１８．８以下、さらに１８．６以下とすることが好ましい。この値が大きすぎると、Ｗ＃１で打撃した時に実打初速が速くなりすぎて飛距離抑制ができなくなるおそれがある。また、下限としては、好ましくは１０．０以上、より好ましくは１３．０以上、さらに好ましくは１６．０以上である。この値が小さすぎると、実打初速が低くなりすぎて、アイアンでも飛距離が落ちすぎるおそれがある。
【００２０】
また、本発明のゴルフボールにおいて、該ボールに対して初期荷重１．９６Ｎ（０．２ｋｇｆ）を負荷した状態から終荷重４９Ｎ（５．０ｋｇｆ）を負荷したときまでのたわみ量（ｍｍ）が０．２７以上０．６以下であり、さらに好ましくは０．３０以上０．５以下、さらに好ましくは０．３３以上０．４５以下である。この値が小さすぎると、ボール初速が高くなりすぎて飛距離抑制ができなくなることがある。逆に、この値が大きすぎると、アイアン打撃時にスピンが増えすぎて吹き上がる弾道になり、飛距離が落ちすぎることがある。
【００２１】
なお、上記のたわみ量は、ボールに小さな衝撃が加わったときのボール性能に及ぼす指標となる数値であり、軟らかいカバーの厚さが大きくなると上記のたわみ量は大きくなり、カバーが硬くなると小さくなる傾向がある。
【００２２】
本発明のゴルフボールは、上述したように初速度Ｖ（ｍ／ｓ）及びたわみ量（ｍｍ）との関係を適正化したものであり、弾性コアと該コアを被覆する１層以上のカバーとを備えたボール構造を有する。
【００２３】
コアの直径は、好ましくは３２．７ｍｍ以上４１．９ｍｍ以下であり、より好ましくは３５．７ｍｍ以上４０．７ｍｍ以下、さらに好ましくは３８．３ｍｍ以上３９．７ｍｍ以下である。コアが大きすぎると、繰り返し打撃時の割れ耐久性が悪くなりすぎることがある。逆に、コアが小さすぎると、アイアン打撃時にスピンが増えすぎて吹き上がる弾道になり、飛距離が落ちすぎることがある。
【００２４】
上記コアのたわみ量、即ち、初期荷重１０ｋｇｆから終荷重１３０ｋｇｆまで負荷したときの圧縮たわみ量が２．８ｍｍ以上、好ましくは３．０ｍｍ以上、特に４．０ｍｍ以上で、６．０ｍｍ以下、好ましくは５．５ｍｍ以下、特に５．０ｍｍ以下の範囲であることが好ましい。上記の値が小さすぎると、打感が硬すぎたり、初速が速くなりすぎて飛距離抑制効果が得られなくなることがある。逆に、上記の値が大きすぎると、打感が軟らかくなりすぎたり、繰り返し打撃時の割れ耐久性が低下したり、反発が低下しすぎてアイアンでも飛距離が落ちすぎることがある。
【００２５】
また、上記コアのたわみ量「（Ｓ）とする。」と上記ボールたわみ量（Ｅ）との差は、好ましくは−０．２ｍｍ以上０．５ｍｍ以下、より好ましくは０ｍｍ以上０．４ｍｍ以下、さらに好ましくは０．１ｍｍ以上０．３ｍｍ以下である。上記（Ｓ）−（Ｅ）の値が大きすぎると、繰り返し打撃による割れ耐久性が悪くなりすぎたり、ショートゲームでも打感が硬くなりすぎることがある。逆に、上記（Ｓ）−（Ｅ）の値が小さすぎると、アイアン打撃時にスピンが増えすぎて吹き上がる弾道になり、飛距離が落ちすぎることがある。
【００２６】
コア表面硬度は、ショアＤ硬度で好ましくは２５以上６０以下、より好ましくは３０以上５７以下、さらに好ましくは３５以上４７以下である。また、コア中心硬度は、ショアＤ硬度で好ましくは２５以上４３以下、より好ましくは２８以上４０以下、さらに好ましくは３２以上３７以下である。なお、ショアＤ硬度はＡＳＴＭ  Ｄ２２４０に準ずるタイプＤデュロメーターによる測定値である。コア表面部の硬度測定については、針が曲面部にほぼ垂直になるようにして計測したものである。コアの表面・中心とも値が大きすぎると、打感が硬くなりすぎたり、初速が速すぎて飛距離抑制効果が得られなくなることがある。逆に、値が小さすぎると、打感が軟らかくなりすぎたり、反発が低下しすぎてアイアンでも飛距離が落ちすぎることがある。
【００２７】
上記コア表面硬度とコア中心硬度との差は、ショアＤ硬度で好ましくは０以上１５以下、より好ましくは３以上１２以下、さらに好ましくは５以上１０以下である。これらの差が大きすぎると、繰り返し打撃により割れ耐久性が悪くなりすぎることがある。上記の硬度差が小さすぎると、ボールのスピン量が増えすぎてしまい、アイアンショットの場合でも飛距離が落ちることがある。
【００２８】
上記弾性コアは合成ゴム製からなり、特にポリブタジエンを主材とするゴム組成物にて形成することができ、常法に従って製造し得る。例えば、シス−１，４−ポリブタジエン１００質量部に対し、アクリル酸、メタクリル酸などのα，β−モノエチレン不飽和カルボン酸又はその金属イオン中和物、トリメチロールプロパンメタクリレートなどの官能性モノマーなどの架橋剤から選ばれる１種を単独で又は２種以上を混合したものを１０質量部以上６０質量部以下、酸化亜鉛、硫酸バリウムなどの充填剤を５質量部以上３０質量部以下、ジクミルパーオキサイド等の過酸化物を０．５質量部以上５質量部以下、その他必要に応じて老化防止剤を０．１質量部以上１質量部以下配合し、このゴム組成物に対してプレス架橋した後、１４０℃以上１７０℃以下，１０分以上４０分以下で加熱圧縮して球状に形成する等の方法により弾性コアを成形することができる。
【００２９】
一方、本発明に用いられるカバーは、上記弾性コアの回りに１層又は２層以上にて形成されるものであり、各カバー層のショアＤ硬度や厚さを下記のように適正化することが好ましい。
【００３０】
各カバー層の硬度については、ショアＤ硬度で３０以上６０以下とすることが好ましく、より好ましくはショアＤ硬度で４０以上５５以下、さらに好ましくはショアＤ硬度で４５以上５０以下である。各カバー層が上記範囲よりも硬すぎると、初速が高くなりすぎて、飛距離抑制ができなくなることがある。逆に、各カバー層が軟らかすぎると、アイアン打撃時にスピンが増えすぎて吹き上がる弾道になり、飛距離が落ちすぎることがある。なお、ここで言うカバー層のショアＤ硬度とは、シート状の成形物におけるＡＳＴＭ  Ｄ２２４０に基づくタイプＤデュロメーターによる測定値である。
【００３１】
カバーの厚さ（複数層の場合はその合計の厚さ）は、好ましくは０．４ｍｍ以上５．０ｍｍ以下、より好ましくは１．０ｍｍ以上３．５ｍｍ以下、さらに好ましくは１．５ｍｍ以上２．２ｍｍ以下である。上記カバー薄すぎると、繰り返し打撃時の割れ耐久性が悪くなりすぎることがある。上記カバーが厚すぎると、アイアン打撃時にスピンが増えすぎて吹き上がる弾道になり、飛距離が落ち過ぎることがある。
【００３２】
また、上記カバー層の材料としては、アイオノマー樹脂，ウレタン樹脂，ポリオレフィン系エラストマー，ポリエステル系エラストマー樹脂及びポリアミド系エラストマー等の公知の熱可塑性樹脂又は各種エラストマーを好適に採用することができ、二層以上のカバーを有する場合、各カバー層の材料は同種であっても異種であってもよい。特に、アイオノマー樹脂や熱可塑性ポリウレタンエラストマーを用いることが好適である。また、生産性を高める観点から、熱可塑性樹脂を採用することが好適である。
【００３３】
上記カバー層の材料としてアイオノマー樹脂を選択する場合、耐久性の面から、亜鉛（Ｚｎ）イオンタイプのアイオノマー及びナトリウム（Ｎａ）イオンタイプのアイオノマーをそれぞれ２０質量％以上、好ましくは２５質量％以上、さらに好ましくは３０質量％以上となるように混合アイオノマー樹脂を用いることが好適である。
【００３４】
なお、上記カバー材料には、必要に応じて種々の添加剤を配合しても良く、例えば、酸化亜鉛、硫酸バリウム、二酸化チタン等の無機充填剤や顔料、分散剤、老化防止剤、紫外線吸収剤、光安定剤などを加えることができる。
【００３５】
上記カバーを形成する方法は、射出成形やコンプレッション成形等の公知の各種方法を採用することができ、その射出温度や時間等の諸条件についても通常採用される範囲で適宜選定することによりカバーを容易に形成することができる。
【００３６】
また、上記カバー表面には多数のディンプルを形成することができる。カバー表面に配置されるディンプルについては、特に制限はないが、好ましくは３００個以上５００個以下、より好ましくは３２０個以上４５０個以下、さらに好ましくは３３０個以上４４０個以下具備することができる。ディンプルの個数が上記範囲より多くなると、ボールの弾道が低くなりすぎることがある。逆に、ディンプル個数が少なくなると、ボールの弾道が高くなり、アイアン打撃時に飛距離が出なくなることがある。
【００３７】
ディンプルの形状については、円形、各種多角形、デュードロップ形、その他楕円形など１種類又は２種類以上を組み合わせて適宜使用することができる。例えば、円形ディンプルを使用する場合には、直径は２．５ｍｍ以上６．５ｍｍ以下程度、深さは０．０８ｍｍ以上０．３０ｍｍ以下とすることができる。
【００３８】
ディンプルがゴルフボールの球面に占めるディンプル占有率、具体的には、ディンプルの縁に囲まれた平面の面縁で定義されるディンプル面積の合計が、ディンプルが存在しないと仮定したボール球面積に占める比率については、空気力学特性を十分に発揮し得る点から６０％以上９０％以下であることが望ましい。
【００３９】
また、各々のディンプルの縁に囲まれた平面下のディンプルの空間体積を、前記平面を底面とし、かつこの底面からのディンプルの最大深さを高さとする円柱体積で除した値Ｖ0は、ボールの弾道の適正化を図る点から０．３５以上０．８０以下とすることが好適である。
【００４０】
更には、ディンプルの縁に囲まれた平面から下方に形成されるディンプル容積の合計がディンプルが存在しないと仮定したボール球容積に占めるＶＲ値は、０．６％以上１．０％以下とすることが好ましい。この範囲を逸脱すると、打球が吹け上がったり、打球が上がらず失速するおそれがある。
【００４１】
本発明のゴルフボールは、ボール構造に関しては、コアと該コアを被覆する１層以上のカバーとを備えていれば、特に制限されるものではなく、ツーピースゴルフボール、３層構造以上のマルチピースゴルフボール等のソリッドゴルフボールとしても、糸巻きゴルフボールとしてもよく、あらゆる種類のゴルフボールに適用可能である。
【００４２】
なお、本発明のゴルフボールの直径は、好ましくは４２．６７ｍｍ以上、より好ましくは４２．６７〜４３．００ｍｍ、重量は、好ましくは４５．０〜４５．９３ｇに形成することができる。また、本発明は、その目的から、２００６年のＲ＆Ａのゴルフ規則に適合するものであること、即ち、１）ボールが４２．６７２ｍｍのリングを通過しないこと、２）ボール重量が４５．９３ｇ以下であること、及び３）ボール初速が７７．７２４ｍ／ｓ以下であることが望まれる。
【実施例】
【００４３】
以下、実施例と比較例を示し、本発明を具体的に説明するが、本発明は下記の実施例に制限されるものではない。
【００４４】
〔実施例１，２、比較例１〜５〕
実施例１，２及び比較例１〜５におけるゴルフボールを作成するに際し、下記表１に示す配合のゴム材料を用意した。このゴム組成物をニーダー又はロールにて適宜混練した後、いずれも１５５℃、１５分にて加硫して各例のソリッドコアを作成した。なお、下記表中の各材料の数字は質量部で表される。
【００４５】
【表１】
2007301357.tif 000002
【００４６】
上記の材料の説明は下記の通りである。上記の数字は質量部を示す。
※１  ブタジエンゴム  ＪＳＲ社製、商品名ＢＲ０１
※２  ＪＳＲ社製、ＳＢＲ１５０７
※３  過酸化物（１）：ジクミルパーオキサイド  商品名パークミルＤ（日本油脂製
）
※４  過酸化物（２）：１，１ビス（ｔ−ブチルパーキシ）３，３，５−トリメチル
シクロヘキサン  商品名パーヘキサ３Ｍ−４０（日本油脂製）
※５  ノクラックＮＳ−６（大内新興化学工業社製）
※６  ペンタクロロチオフェノール亜鉛塩
【００４７】
次に、上記コアの周囲に下記表２に示すカバー材料を射出成形して、表面に多数のディンプルを備えた１層のカバーをコアに包囲してなるツーピースソリッドゴルフボールを製造した。また、各例に用いられるカバー材料及びディンプルＩ，ＩＩ＆ＩＩＩは下記表３〜５のとおりである。なお、ディンプルＩの配列パターンを図１、ディンプルＩＩの配列パターンを図２、ディンプルＩＩＩの配列パターンを図３に示した。
【００４８】
【表２】
2007301357.tif 000003
※上記の数字は質量部を示す。
【００４９】
※７  三井デュポンポリケミカル社製のアイオノマー
※８  デュポン社製のアイオノマー
※９  三井デュポン社製、製品名「ニュクレル」
【００５０】
【表３】
2007301357.tif 000004
【００５１】
【表４】
2007301357.tif 000005
【００５２】
【表５】
2007301357.tif 000006
【００５３】
得られた各実施例及び比較例のゴルフボール及びボールを構成するコア・カバーの厚さ・硬度等の諸物性を表６に示し、飛び性能及び打感については下記表７に示した。
【００５４】
【表６】
2007301357.tif 000007
【００５５】
たわみ変形量
（１）コアに対し、初期荷重９８Ｎ（１０ｋｇｆ）を負荷した状態から終荷重１２７５Ｎ（１３０ｋｇｆ）を負荷したときまでの変形量（ｍｍ）を計測した。また、コアに対し、初期荷重１．９６Ｎ（０．２ｋｇｆ）を負荷した状態から終荷重４９Ｎ（５．０ｋｇｆ）を負荷したときまでの変形量（ｍｍ）を計測した。
（２）ボール球体に対し、初期荷重９８Ｎ（１０ｋｇｆ）を負荷した状態から終荷重１２７５Ｎ（１３０ｋｇｆ）を負荷したときまでの変形量（ｍｍ）を計測した。
【００５６】
コア表面のショアＤ硬度＆コア中心のショアＤ硬度
コア表面については、硬度計の針をコア曲面に対して垂直になるようにして、それ以外はＡＳＴＭ  Ｄ２２４０に準じて測定した。コア中心についてはコアを２分割し、その断面の中心部分をＡＳＴＭ  Ｄ２２４０に準じて測定した。
【００５７】
カバーのショアＤ硬度
カバー用組成物を約２ｍｍの厚さに熱プレスで成型し、得られたシートを２３℃で２週間保存した後、ＡＳＴＭ  Ｄ２２４０に準じて測定した。
【００５８】
ボール初速度
Ｒ＆Ａの承認する装置であるＵＳＧＡのドラム回転式の初速度計と同方式の初速測定器を用いてボールの初速度を測定した。ボールを２３±１℃環境下で３時間以上温調した後、室温２３±２℃の部屋でテストした。２５０ポンド（１１３．４ｋｇ）のヘッド（ストライキングマス）を用いて打撃速度１４３．８ｆｔ／ｓ（４３．８３ｍ／ｓ）にてボールを打撃し、１ダースのボールを各々４回打撃して６．２８ｆｔ（１．９１ｍ）の間を通過する時間を測定して初速度（ｍ／ｓ）を算出した。約１５分間でこのサイクルを行なった。
【００５９】
ディンプルの定義
・直径：ディンプルの縁に囲まれた平面の直径
・深さ：ディンプルの縁に囲まれた平面からのディンプルの最大深さ
・Ｖ0 ：ディンプルの縁に囲まれた平面下のディンプルの空間体積を、前記平面を底面と
し、かつこの底面からのディンプルの最大深さを高さとする円柱体積で除した値
・ＳＲ：ディンプルの縁に囲まれた平面の面縁で定義されるディンプル面積の合計が、デ
ィンプルが存在しないと仮定したボール球面積に占める比率
・ＶＲ：ディンプルの縁に囲まれた平面から下方に形成されるディンプル容積の合計がデ
ィンプルが存在しないと仮定したボール球容積に占める比率
【００６０】
【表７】
2007301357.tif 000008
【００６１】
飛び
ゴルフ打撃ロボットにクラブをセットして各ヘッドスピード（Ｈ／Ｓ）ごとに打撃した時の飛距離を測定した。クラブは以下のものを使用した。
（i）ＨＳ５０
ブリヂストンスポーツ社製「Tour Stage X500  ロフト８°」
（ii）ＨＳ４０
ブリヂストンスポーツ社製「Tour Stage X500  ロフト１０°」
（iii）Ｉ＃６（ＨＳ４０ｍ／ｓ）
ブリヂストンスポーツ社製「Tour Stage X-Blade」
上記の飛び性能の判定は、Ｗ＃１  ＨＳ５０および４０ｍ／ｓ：基準ボールとしての「Tour Stage〈X★01S〉（２００６モデル）」対比でトータル飛距離が４ｍ以上低下したものを○（良い）と評価した。
また、Ｉ＃６  ＨＳ４０ｍ／ｓ：「Tour Stage〈X★01S〉（２００６モデル）」対比でトータル飛距離が２ｍ以内で低下したものを○（良い）、２ｍを超えて低下したものを×（悪い）と評価した。
【００６２】
打感
アマチュアゴルファー２０人の官能評価。
○：１５人以上が軟らかくて心地良い打感と評価。
×：上記以外のもの。
【図面の簡単な説明】
【００６３】
【図１】ディンプルの配列態様Ｉを示したゴルフボールの平面図である。
【図２】ディンプルの配列態様ＩＩを示したゴルフボールの平面図である。
【図３】ディンプルの配列態様ＩＩＩを示したゴルフボールの平面図である。
【図１】
2007301357.tif 000009
【図２】
2007301357.tif 000010
【図３】
2007301357.tif 000011